(57)【要約】 【課題】ベルトで腰を締める服装においては、夏季は腰周辺の衣服内の空気は温度も湿度も上がるので、蒸れて極めて不快である。また冬季は使い捨てカイロなどの面状発熱体による加熱の効果は貼りつけた部位周辺に限定されるので、体全体を暖めるには多数のカイロが必要になる。本発明は衣服内のウエスト部に通気層を形成することで、ウエスト部を超えた空気の移動を可能にし、高温多湿の夏季には蒸れを抑え、低温の冬季には面状発熱体で加熱された空気を衣服内の広い範囲に行き渡らせ、薄くて装着感が良好な通気帯を提供することができる。【解決手段】衣服内でウエスト部に装着する通気帯であり、可撓性と同時に面方向の通気性を備えた通気層形成シート材と、伸縮性と通気性に富む生地を袋状に縫製した袋状帯とを有し、袋状帯の内部に通気層形成シート材を収納した通気帯。【選択図】 図５
2012136815.tif 000002
【特許請求の範囲】
【請求項１】
表編地と裏編地を連結糸で繋ぐ三次元立体編物あるいは繊維を立体的に絡み合わせて接点で結合した立体繊維構造体からなり、可撓性および面方向の通気性を有する通気層形成シート材と、伸縮自在で通気性を有するメッシュ生地からなる袋状帯とを具備し、該通気層形成シート材を該袋状帯に収納したことを特徴とする通気帯。
【請求項２】
請求項１の通気帯において、通気層形成シート材を帯長手方向に複数片に分割し、袋状帯の通気層形成シート材を収納する領域を縫製またはその他の手段で仕切り、通気層形成シート材の移動を制限したことを特徴とする通気帯。
【請求項３】
請求項１の通気帯において、通気層形成シート材を帯長手方向に複数片に分割し、夫々の通気層形成シート材の帯長手方向の中央位置で縫製またはその他の手段で袋状帯に固定したことを特徴とする通気帯。
【請求項４】
請求項１、２または３の通気帯において、面状発熱体を自由に出し入れできる収納部を袋状帯に設けたことを特徴とする通気帯。
【発明の詳細な説明】
【技術分野】
【０００１】
本発明はスラックスやスカートのウエスト部をベルトで締め付ける服装において、下半身側の衣服の内側の空気と上半身側の衣服の内側の空気の移動を可能にし、夏季においては衣服内の空気の換気を促進して全身に亘って衣服内の蒸れを抑えて涼感を得ることができ、冬季においては使い捨てカイロなどの面状発熱体により全身を暖かく保つことができる通気帯に関するものである。
【背景技術】
【０００２】
従来、夏季にベルトで腰を締める服装において衣服内の蒸れを防ぐ手段としては、衣服内でウエスト部に装着する通気帯の通気孔を有する樹脂製筒状材の開口部をウエストの上下に設ける通気帯構造（特許文献１）が考案されているが、ベルトの締付け圧力が掛かっても通気流路を維持するために筒状材は硬くて太いものになり、さらにベルト締付け部付近では衣服が通気帯の開口部を塞ぎ易いので筒状材は長いものにせざるを得ないから、三次元的な形状であるウエスト部へ上手くフィットできずに装着感が悪い。
また冬季に使い捨てカイロなどで体を暖かく保つ工夫としては、帯状物に多数の収納袋をつけた構造（特許文献２）が考案されているが、カイロから身体への熱移動は帯状物を構成する生地を介しての熱伝導が主体で、カイロの加熱効果は装着部付近に限られるので、全身を暖かくするには多数のカイロを使用する必要がある。
【先行技術文献】
【特許文献】
【０００３】
【特許文献１】実開平３−９２７１７
【特許文献２】実開平１−６２８２０
【発明の概要】
【発明が解決しようとする課題】
【０００４】
ベルトでウエストを締め付ける服装の場合、上着と下着（本明細書ではベルトで締め付けられる上半身用と下半身用の衣服の中で夫々一番外側のものを上着と称し、それ以外を下着と称する）がウエスト全周に渡り密着するので、衣服と身体の間の空気はベルトより高い上半身側と、ベルトより低い下半身側の２つに分断される。
【０００５】
ベルトより高い位置の空気の一部は上着であるワイシャツ（ブラウスなどの場合にも適用されるが、以後は上半身側の上着としてワイシャツで統一する）の襟元や袖口を通して外気と入れ替わるが、腰周辺の空気は袖口や襟元から離れているので滞留し易い。またベルトより低い位置の空気の一部も同様に上着であるスラックス（スカートの場合にも適用されるが、以後は下半身側の上着としてスラックスで統一する）の裾口を通して外気と入れ替わるが、裾口から離れた腰周辺の空気も滞留し易い。したがって夏季には特に腰周辺の空気は温度も湿度も上がるので蒸れて不快である。
【０００６】
また冬季における使い捨てカイロなどの面状発熱体からの熱は接する布地を介し熱伝導で身体を加熱するが、その範囲は局所的で体全体を暖めるには上半身側と下半身側に多数のカイロが必要になる。
【０００７】
本発明の目的はベルトで締め付ける位置の衣服の内側に通気流路を形成し、上半身側と下半身側の衣服の内側の空気が相互に移動できるようにすることで、高温多湿の夏季だけでなく低温の冬季でも快適に過せる、薄くて装着感の良好な通気帯を提供することである。
【課題を解決するための手段】
【０００８】
第１の発明にあっては、表編地と裏編地を連結糸で繋ぐ三次元立体編物あるいは繊維を立体的に絡み合わせて接点で結合した立体繊維構造体からなり、可撓性および面方向の通気性を有する通気層形成シート材と、伸縮自在で通気性を有するメッシュ生地からなる袋状帯とを具備し、該通気層形成シート材を該袋状帯に収納したことを特徴とする通気帯。
【０００９】
第２の発明にあっては、第１の発明の通気帯において、通気層形成シート材を帯長手方向に複数片に分割し、袋状帯の通気層形成シート材を収納する領域を縫製またはその他の手段で仕切り、通気層形成シート材の移動を制限したことを特徴とする通気帯。
【００１０】
第３の発明にあっては、第１の発明の通気帯において、通気層形成シート材を帯長手方向に複数片に分割し、夫々の通気層形成シート材の帯長手方向の中央位置で縫製またはその他の手段で袋状帯に固定したことを特徴とする通気帯。
【００１１】
第４の発明にあっては、第１、第２または第３の発明の通気帯において、面状発熱体を自由に出し入れできる収納部を袋状帯に設けたことを特徴とする通気帯。
【発明の効果】
【００１２】
本発明の通気帯はベルトで締め付けられる位置の衣服の内側に通気流路を形成するので、下半身側のスラックスやスカートの内側の空気と上半身側のワイシャツやブラウスなどの内側の空気が上記通気流路を経由して相互に移動が可能になる。したがってズボンの裾口とワイシャツの襟元や袖口を通して換気されやすくなるので、高温多湿の夏季には涼しく快適に過せる。
また寒い冬季には上着の襟元や袖口を閉めた服装であれば、通気帯の収納部に入れた使い捨てカイロなどの面状発熱体で加熱された空気が上半身側と下半身側の衣服の内側に保持されるので、発熱体周辺だけでなく身体の広い範囲を効率よく暖めることができる。
【図面の簡単な説明】
【００１３】
【図１】本発明の通気帯の第１の実施形態を示す図で、図１（Ａ）は展開時の平面図、図１（Ｂ）は展開時の正面図、図１（Ｃ）は断面図である。また図１（Ｄ）は通気帯の両端を縫い合わせて連結した形式を示す図である。
【図２】本発明の第１の実施形態の通気帯を装着した状態を示す図で、図２（Ａ）は全身の断面図、図２（Ｂ）はウエスト部の断面図、図２（Ｃ）は通気帯周辺の詳細な断面図である。
【図３】本発明の通気帯を装着し、衣服が通気帯の開口部の一部を塞いでいる場合の空気の流れの方向を示す図で、上着やベルトは省略してある。
【図４】本発明の通気帯の第２の実施形態を示す図で、図４（Ａ）は展開時の平面図、図４（Ｂ）は展開時の正面図、図４（Ｃ）は断面図である。また図４（Ｄ）は通気帯の両端を縫い合わせて連結した形式を示す図である。
【図５】本発明の通気帯の第３の実施形態を示す図で、図５（Ａ）は展開時の平面図、図５（Ｂ）は展開時の正面図、図５（Ｃ）は断面図である。また図５（Ｄ）は通気帯の両端を縫い合わせて連結した形式を示す図である。
【図６】本発明の通気帯の第４の実施形態を示す図で、図６（Ａ）は展開時の平面図、図６（Ｂ）は展開時の正面図、図６（Ｃ）は断面図である。また図６（Ｄ）は通気帯の両端を縫い合わせて連結した形式を示す図である。
【図７】本発明の第４の実施形態の通気帯を装着した状態を示す図で、図７（Ａ）は全身の断面図、図７（Ｂ）はウエスト部の断面図で、図７（Ｃ）は熱の移動方向を示す断面図である。
【発明を実施するための形態】
【００１４】
以下に本発明の実施形態を説明する。
［第１の実施形態］
本実施形態の構成を以下に説明する。
図１は第１の実施形態の通気帯の説明図で、図１（Ａ）は展開時の平面図、図１（Ｂ）は展開時の正面図、図１（Ｃ）は断面図である。
通気層形成シート材（５０）は可撓性および面方向の通気性を有するダブルラッセル編布等の三次元立体編物あるいは繊維を立体的に絡み合わせて接点で結合した立体繊維構造体からなる。
袋状帯（６０）は伸縮自在で通気性に富む生地を縫製して筒状にしたもので、内部に通気層形成シート材（５０）を収納し、該袋状帯の両端の縫合部（１０３）で該通気層形成シート材（５０）が外にはみ出すのを防止している。
図１（Ｄ）は袋状帯（６０）の長さをウエストサイズよりも短くしておき、両端を縫い合わせ部（１０４）で繋いだ形式のものであるが、袋状帯（６０）の両端に面ファスナーを付けて、着脱を容易にする構造にしても良い。
なお通気層形成シート材（５０）としては空隙率が容易に９０％を超え、柔軟性のある表編地と裏編地を繋ぐ連結糸を硬めにすればウエスト部の体形にフィットできるだけの十分な可撓性と同時に、ベルトなどの圧力に耐えられるだけの厚さ方向の剛性も確保できるダブルラッセル編物を使い、袋状帯（６０）は伸縮性と通気性に優れた２ＷＡＹなどの生地を使えば、通気層形成シート材（５０）を小さな締め付け力で体形にフィットさせることができる。
通気層形成シート材（５０）の厚さは２〜６ｍｍ、幅は１００〜３００ｍｍが実用的な寸法である。
【００１５】
本発明の第１の実施形態の使用方法を以下に説明する。
図２はウエスト部の上着（１３ａ、１３ｂ）の内側で下着（１２ａ、１２ｂ）の外側に本発明の通気帯（１００）を付けた状態の説明図で、図２（Ａ）は全身の断面図、図２（Ｂ）はウエスト部を拡大した断面図、図２（Ｃ）は通気帯周辺を拡大した断面図である。
下着（１２ａ、１２ｂ）を着けた状態でベルト（１４）を締めるウエスト位置に本発明の通気帯（１００）を着ける。このとき通気層形成シート材（５０）は可撓性に優れ、図示しない袋状帯（６０）は優れた伸縮性を有するため、タイツなどの衣類と同程度の小さな締付け力でフィットするので装着感は良好である。
その後上着（１３ａ、１３ｂ）を着れば、通気帯（１００）は上半身側の上着（１３ａ）と下着（１２ａ）の間の空間（３０ａ）と下半身側の上着（１３ｂ）と下着（１２ｂ）の間の空間（３０ｂ）の両方に開口部（４０ａ、４０ｂ）を確保できるので、外気はズボンの裾口（３２）から入り、通気帯（１００）を通過してワイシャツなどの上着の襟元（３１）から出て行くか、その逆の方向に流れることが可能となる。
実際の使用状態では図３（上着やベルトを省略）に示すように衣服が密着して空気の流れが阻害される領域（６３ａ、６３ｂ）が出てくるが、通気層形成シート材（５０）は面内方向の通気性があるので、ウエスト部全周に亘り塞がれていない限り空気は迂回して流れることができる。
なお通気層形成シート材（５０）は素材を切断して得るために切断面が解けたりする可能性があるが、袋状帯（６０）はこの切断面を保護する作用がある。
【００１６】
［第２の実施形態］
本実施形態の構成を以下に説明する。
図４は第２の実施形態の通気帯の説明図で、図４（Ａ）は展開時の平面図、図４（Ｂ）は展開時の正面図、図４（Ｃ）は断面図である。
通気層形成シート材（５０）は帯長手方向に複数片に分割し、伸縮自在で通気性に富む生地を縫製した袋状帯（６０）の内部に収納するが、縫合部（２０１）で仕切られているので、夫々の通気層形成シート材（５０）が移動して当たったり重なるようなことがない。
図４（Ｄ）は袋状帯（６０）の長さをウエストサイズよりも短くしておき、両端を縫い合わせ部（１０４）で繋いだ形式のものであるが、袋状帯（６０）の両端に面ファスナーを付けて、着脱を容易にする構造にしても良い。
【００１７】
第２の実施形態の使用方法は第１の実施形態と同様である。
本発明の通気帯の装着時には袋状帯（６０）はウエストサイズまで自由に伸びるが、通気層形成シート材（５０）はほとんど伸びないので、ウエスト周上には通気層形成シート材（５０）のない領域が発生する。通気層形成シート材（５０）のない領域がウエスト周上で長くなるとベルトの締付け圧力により衣服の一部が入り込んでその部分の通気流路を狭くしたり塞いだりするが、第２の実施形態ではこの領域をウエスト周上に分散させて、個々の領域を短くすることが可能となるので通気流路を確保する上で有利になる。
伸縮性の乏しい通気層形成シート材（５０）の面積が大きくなると、ウエストのような三次元的な形状にフィットさせ難くなるが、複数に分割することでフィット感の悪化を回避することができる。
【００１８】
［第３の実施形態］
本実施形態の構成を以下に説明する。
図５は第３の実施形態の通気帯の説明図で、図５（Ａ）は展開時の平面図、図５（Ｂ）は展開時の正面図、図５（Ｃ）は断面図である。
通気層形成シート材（５０）は帯長手方向に複数片に分割されており、伸縮自在で通気性に富む生地を縫製した袋状帯（６０）の内部に収納されるが、夫々の通気層形成シート材（５０）は帯長手方向の中央位置で袋状帯（６０）と縫合部（３０１）で固定されている。
その結果、袋状帯（６０）の伸縮性を維持しながら、通気層形成シート材（５０）が回転移動したりするのを防ぎ、帯形状を安定させることができる。
図５（Ｄ）は袋状帯（６０）の長さをウエストサイズよりも短くしておき、両端を縫い合わせ部（１０４）で繋いだ形式のものであるが、袋状帯（６０）の両端に面ファスナーを付けて、着脱を容易にする構造にしても良い。
【００１９】
第３の実施形態の使用方法と作用は第２の実施形態と同様である。
【００２０】
［第４の実施形態］
本実施形態の構成を以下に説明する。
図６は本実施形態の通気帯に面状発熱体を入れた状態の説明図で、図６（Ａ）は展開時の平面図、図６（Ｂ）は展開時の正面図、図６（Ｃ）は断面図である。
本実施形態では袋状帯（６０）に使い捨てカイロのような面状発熱体を出し入れ自由に収納できるポケットを構成するため、布地（４０６）を該袋状帯（６０）とは縫合部（４０１）および縫合部（４０７）で固定する。布地（４０６）は袋状帯（６０）と同じ布を使うことが伸縮性を維持する上で望ましい。
また縫合部（４０１）は袋状帯（６０）と通気層形成シート材（５０）の固定も兼ねている。
図６（Ｄ）は袋状帯（６０）の長さをウエストサイズよりも短くしておき、両端を縫い合わせ部（１０４）で繋いだ形式のものであるが、袋状帯（６０）の両端に面ファスナーを付けて、着脱を容易にする構造にしても良い。
【００２１】
第４の実施形態の使用方法を以下に説明する。
図７はウエスト部の上着（１３ａ、１３ｂ）の内側で下着（１２ａ、１２ｂ）の外側に本発明の通気帯（４００）を付けた状態の説明図で、図７（Ａ）は全身の断面図で、図７（Ｂ）はウエスト部を拡大した断面図ある。また図７（Ｃ）は通気帯（４００）内の熱の移動状況を説明する図である。なお図７（Ａ）と図７（Ｂ）では袋状帯（６０）とポケットを構成する布地（４０６）は省略した。
発熱体（４０８）の収納ポケットを身体側にして通気帯（４００）を装着するが、発熱体からの熱は主に布地を介して下着や身体側へ熱伝導で移動する。一方発熱体からの熱は反対側の通気層形成シート材（５０）にも移動していくが、通気層形成シート材（５０）の空隙率は高いので衣服内の空気を効率よく加熱でき、上着側に伝わって外気に逃げていく熱は少なくなる。
冬季にしばしば着用する上着の襟元（３１）や袖口あるいは裾口（３２）を閉めた服装であれば、この加熱空気は外部へ逃げ難くなる一方で、身体の動きによって衣服と体表面間の空間が変化することによる通気層を経由した移動が起こり、ズボンの裾口（３２）からワイシャツの袖口や襟元（３１）の範囲に広がって体全体が暖かい。
なお発熱体（４０８）からの加熱で熱すぎるような場合には通気帯（４００）を身体に対し回転移動して加熱位置を変えたり、通気帯自体を裏返して発熱体を通気帯の外側にすることで、発熱体から身体へ直接伝わる熱量の調節が可能である。
【００２２】
上述した第１から第４の実施形態は本発明の夫々の例であり、本発明の要旨を損なわない範囲での材質や形状および構造などの種々の変更は可能であり、本発明は上述した実施形態に限定されるものではない。
【符号の説明】
【００２３】
１２ａ      上半身側の下着
１２ｂ      下半身側の下着
１３ａ      上半身側の上着
１３ｂ      下半身側の上着
１４        ベルト
３０ａ      上半身側の上着と下着の間の空気または空間
３０ｂ      下半身側の上着と下着の間の空気または空間
３１        ワイシャツなどの上着の襟元
３２        スラックスなどの上着の裾口
４０ａ      上半身側の通気帯の開口部
４０ｂ      下半身側の通気帯の開口部
５０        通気層形成シート材
６０        伸縮自在で通気性の良い袋状帯
６３ａ      通気帯の上側開口部付近の衣服が密着して空気の流れが阻害されている領域
６３ｂ      通気帯の下側開口部付近の衣服が密着して空気の流れが阻害されている領域
１００      第１の実施形態の通気帯
１０３      袋状帯の両端部の縫合部
１０４      袋状帯の両端の合わせ縫い部
２００      第２の実施形態の通気帯
２０１      袋状帯の通気層形成シート材を仕切るための縫合部
３００      第３の実施形態の通気帯
３０１      袋状帯と通気層形成シート材を固定するための縫合部
４００      第４の実施形態の通気帯
４０１      袋状帯と通気層形成シート材および発熱体収納ポケット形成布地の縫合部
４０６      発熱体収納ポケットを形成する伸縮自在で通気性の良い布地
４０７      発熱体収納ポケット形成布地と袋状帯の縫合部
４０８      発熱体
【図１】
2012136815.tif 000003
【図２】
2012136815.tif 000004
【図３】
2012136815.tif 000005
【図４】
2012136815.tif 000006
【図５】
2012136815.tif 000007
【図６】
2012136815.tif 000008
【図７】
2012136815.tif 000009
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
表編地と裏編地を連結糸で繋ぐ三次元立体編物あるいは繊維を立体的に絡み合わせて接点で結合した立体繊維構造体からなり、可撓性および面方向の通気性を有する通気層形成シート材と、伸縮自在で通気性を有するメッシュ生地からなる袋状帯とを具備し、該通気層形成シート材を該袋状帯に収納し、前記袋状帯の伸びを前記通気層形成シート材の伸びより大とし、装着時、前記袋状帯はウエストサイズまで伸び、前記通気層形成シート材はほとんど伸びないことを特徴とするウエスト用通気帯。
【請求項２】
請求項１のウエスト用通気帯において、通気層形成シート材を帯長手方向に複数片に分割し、袋状帯の通気層形成シート材を収納する領域を縫製またはその他の手段で仕切り、通気層形成シート材の移動を制限したことを特徴とするウエスト用通気帯。
【請求項３】
請求項１のウエスト用通気帯において、通気層形成シート材を帯長手方向に複数片に分割し、夫々の通気層形成シート材の帯長手方向の中央位置で袋状帯に固定したことを特徴とするウエスト用通気帯。
【請求項４】
請求項１、２または３のウエスト用通気帯において、面状発熱体を自由に出し入れできる収納部を袋状帯に設け、前記面状発熱体の熱を前記通気層形成シート材内の空気に伝達することを特徴とするウエスト用通気帯。
【手続補正書】
【提出日】平成23年10月4日(2011.10.4)
【手続補正１】
【補正対象書類名】特許請求の範囲
【補正対象項目名】請求項１
【補正方法】変更
【補正の内容】
【請求項１】
柔軟性のある表編地と裏編地を連結糸で繋ぐ構造であり、ベルトの締付け圧力にも耐えられる厚さ方向の剛性を持ちながら、ウエスト部の体形にフィットできる十分な可撓性と面方向の通気性を有する三次元立体編物からなる通気層形成シート材と、伸縮自在で通気性を有するメッシュ生地からなる筒状の袋状帯とを具備し、該通気層形成シート材全体を該袋状帯に収納し、装着時、前記袋状帯だけがウエストサイズまで伸びることにより発生する締付け力を前記通気層形成シート材に作用させてウエスト部の体形に一様にフィットさせることを特徴とするウエスト用通気帯。
【手続補正２】
【補正対象書類名】特許請求の範囲
【補正対象項目名】請求項４
【補正方法】変更
【補正の内容】
【請求項４】
請求項１、２または３の通気帯において、面状発熱体を自由に出し入れできる収納部を袋状帯に設け、前記面状発熱体の熱を前記通気層形成シート材内を通過する空気に伝達し、下半身および上半身の衣服内の広い範囲の空気を暖めることを特徴とするウエスト用通気帯。
【手続補正３】
【補正対象書類名】明細書
【補正対象項目名】０００８
【補正方法】変更
【補正の内容】
【０００８】
第１の発明にあっては、柔軟性のある表編地と裏編地を連結糸で繋ぐ構造であり、ベルトの締付け圧力にも耐えられる厚さ方向の剛性を持ちながら、ウエスト部の体形にフィットできる十分な可撓性と面方向の通気性を有する三次元立体編物からなる通気層形成シート材と、伸縮自在で通気性を有するメッシュ生地からなる筒状の袋状帯とを具備し、該通気層形成シート材全体を該袋状帯に収納し、装着時、前記袋状帯だけがウエストサイズまで伸びることにより発生する締付け力を前記通気層形成シート材に作用させてウエスト部の体形に一様にフィットさせることを特徴とするウエスト用通気帯。
【手続補正４】
【補正対象書類名】明細書
【補正対象項目名】０００９
【補正方法】変更
【補正の内容】
【０００９】
第２の発明にあっては、第１の発明の通気帯において、通気層形成シート材を帯長手方向に複数片に分割し、袋状帯の通気層形成シート材を収納する領域を縫製またはその他の手段で仕切り、通気層形成シート材の移動を制限したことを特徴とするウエスト用通気帯。
【手続補正５】
【補正対象書類名】明細書
【補正対象項目名】００１０
【補正方法】変更
【補正の内容】
【００１０】
第３の発明にあっては、第１の発明の通気帯において、通気層形成シート材を帯長手方向に複数片に分割し、夫々の通気層形成シート材の帯長手方向の中央位置で袋状帯に固定したことを特徴とするウエスト用通気帯
【手続補正６】
【補正対象書類名】明細書
【補正対象項目名】００１１
【補正方法】変更
【補正の内容】
【００１１】
第４の発明にあっては、第１、第２または第３の発明の通気帯において、面状発熱体を自由に出し入れできる収納部を袋状帯に設け、前記面状発熱体の熱を前記通気層形成シート材内を通過する空気に伝達し、下半身および上半身の衣服内の広い範囲の空気を暖めることを特徴とするウエスト用通気帯。
【手続補正７】
【補正対象書類名】明細書
【補正対象項目名】００２１
【補正方法】変更
【補正の内容】
【００２１】
第４の実施形態の使用方法を以下に説明する。
図７はウエスト部の上着（１３ａ、１３ｂ）の内側で下着（１２ａ、１２ｂ）の外側に本発明の通気帯（４００）を付けた状態の説明図で、図７（Ａ）は全身の断面図で、図７（Ｂ）はウエスト部を拡大した断面図ある。また図７（Ｃ）は通気帯（４００）内の熱の移動状況を説明する図である。なお図７（Ａ）と図７（Ｂ）では袋状帯（６０）とポケットを構成する布地（４０６）は省略した。
発熱体（４０８）の収納ポケットを身体側にして通気帯（４００）を装着するが、発熱体からの熱は主に布地を介して下着や身体側へ熱伝導で移動する。一方発熱体からの熱は反対側の通気層形成シート材（５０）にも移動していくが、通気層形成シート材（５０）の空隙率は高いので通気層形成シート材内の空気を効率よく加熱でき、上着側に伝わって外気に逃げていく熱は少なくなる。
冬季にしばしば着用する上着の襟元（３１）や袖口あるいは裾口（３２）を閉めた服装であれば、この加熱空気は外部へ逃げ難くなる一方で、身体の動きによって衣服と体表面間の空間が変化することによる通気層を経由した移動が起こり、ズボンの裾口（３２）からワイシャツの袖口や襟元（３１）の範囲に広がって体全体が暖かい。
なお発熱体（４０８）からの加熱で熱すぎるような場合には通気帯（４００）を身体に対し回転移動して加熱位置を変えたり、通気帯自体を裏返して発熱体を通気帯の外側にすることで、発熱体から身体へ直接伝わる熱量の調節が可能である。